(57)【要約】      （修正有）【課題】予定されるコースに応じた持ち物を自動的に提示する。【解決手段】地図表示装置は、行程計画設定部５１と、持ち物読出部５３と、出力部１９と、を備える。行程計画設定部５１は、コースを設定する。持ち物読出部５３は、行程計画設定部５１によって設定されたコースの情報に基づいて、コースを進む際に必要があるとみなされた持ち物を特定する。出力部１９は、持ち物読出部５３によって特定されたコースを進む際に必要があるとみなされた持ち物を提示する。【選択図】図２
2017009491.tif 000002
【特許請求の範囲】
【請求項１】
経路を設定する経路設定手段と、
前記経路設定手段によって設定された前記経路の情報に基づいて、前記経路を進む際に必要があるとみなされた持ち物を特定する特定手段と、
前記特定手段によって特定された前記経路を進む際に必要があるとみなされた持ち物を提示する提示手段と、
を備えることを特徴とする提示装置。
【請求項２】
前記経路以外の情報を設定する情報設定手段を備え、
前記特定手段は、前記情報設定手段によって設定された前記経路以外の情報に基づいて、前記経路を進む際に必要があるとみなされた持ち物を特定する、
ことを特徴とする請求項１に記載の提示装置。
【請求項３】
前記経路設定手段によって設定された前記経路の情報を分析する分析手段を備え、
前記特定手段は、前記分析手段による分析結果に基づいて、前記経路全体の状態を通じて前記経路を進む際に必要があるとみなされた持ち物、及び／又は、前記経路内の部分イベントを通じて前記経路を進む際に必要があるとみなされた持ち物を特定する、
ことを特徴とする請求項１又は２に記載の提示装置。
【請求項４】
前記特定手段によって特定された前記経路全体の状態を通じて前記経路を進む際に必要があるとみなされた持ち物と、前記経路内の部分イベントを通じて前記経路を進む際に必要があるとみなされた持ち物を互いに比較する比較手段を備え、
前記特定手段は、前記比較手段による比較結果によって、前記経路内の部分イベントを通じて前記経路を進む際に必要があるとみなされた持ち物のうち、前記経路全体の状態を通じて前記経路を進む際に必要があるとみなされた持ち物に含まれていない不足の持ち物を特定する、
ことを特徴とする請求項３に記載の提示装置。
【請求項５】
前記提示手段は、前記特定手段によって特定された前記不足の持ち物と、前記経路全体の状態を通じて前記経路を進む際に必要があるとみなされた持ち物を併せた持ち物を、前記経路を進む際に必要があるとみなされた持ち物として提示する、
ことを特徴とする請求項４に記載の提示装置。
【請求項６】
提示装置で実行される提示方法であって、
経路を設定する経路設定ステップと、
前記経路設定ステップによって設定された前記経路の情報に基づいて、前記経路を進む際に必要があるとみなされた持ち物を特定する特定ステップと、
前記特定ステップによって特定された前記経路を進む際に必要があるとみなされた持ち物を提示する提示ステップと、
を含むことを特徴とする提示方法。
【請求項７】
提示装置を制御するコンピュータを、
経路を設定する経路設定手段、
前記経路設定手段によって設定された前記経路の情報に基づいて、前記経路を進む際に必要があるとみなされた持ち物を特定する特定手段、
前記特定手段によって特定された前記経路を進む際に必要があるとみなされた持ち物を提示する提示手段、
として機能させることを特徴とするプログラム。
【発明の詳細な説明】
【技術分野】
【０００１】
本発明は、提示装置、提示方法及びプログラムに関する。
【背景技術】
【０００２】
従来より、旅行や登山等に必要な持ち物をユーザに選択させて、メモとして当日にリマインドして提示する技術がある（特許文献１を参照）。
【先行技術文献】
【特許文献】
【０００３】
【特許文献１】特開２０１５−０１８５４５号公報
【発明の概要】
【発明が解決しようとする課題】
【０００４】
しかしながら、上述した特許文献１に記載の技術では、予定されている旅等の計画を想定して、ユーザが手動で持ち物を選択しているに過ぎず、選択される持ち物がユーザの経験に依存してしまい、持ち物の不足が生じたり、逆に不要な持ち物を持って行くことになったりしてしまうという問題があった。
【０００５】
本発明は、このような状況に鑑みてなされたものであり、予定される行程に応じた持ち物を自動的に提示することを目的とする。
【課題を解決するための手段】
【０００６】
上記目的を達成するため、本発明の一態様の提示装置は、
経路を設定する経路設定手段と、
前記経路設定手段によって設定された前記経路の情報に基づいて、前記経路を進む際に必要があるとみなされた持ち物を特定する特定手段と、
前記特定手段によって特定された前記経路を進む際に必要があるとみなされた持ち物を提示する提示手段と、
を備えることを特徴とする。
【発明の効果】
【０００７】
本発明によれば、予定される行程に応じた持ち物を自動的に提示することができる。
【図面の簡単な説明】
【０００８】
【図１】本発明の提示装置の一実施形態に係る地図表示装置のハードウェアの構成を示すブロック図である。
【図２】図１の地図表示装置の機能的構成のうち、持ち物リスト表示処理を実行するための機能的構成を示す機能ブロック図である。
【図３】提示される持ち物リストに関する情報を説明するための模式図である。
【図４】図２の機能的構成を有する図１の地図表示装置が実行する持ち物リスト表示処理の流れを説明するフローチャートである。
【発明を実施するための形態】
【０００９】
以下、本発明の実施形態について、図面を用いて説明する。
【００１０】
図１は、本発明の提示装置の一実施形態に係る地図表示装置のハードウェアの構成を示すブロック図である。
地図表示装置１は、例えば、スマートフォンとして構成される。
【００１１】
地図表示装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１８と、出力部１９と、記憶部２０と、通信部２１と、ドライブ２２と、を備えている。
【００１２】
ＣＰＵ１１は、ＲＯＭ１２に記録されているプログラム、又は、記憶部２０からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、センサ部１７、入力部１８、出力部１９、記憶部２０、通信部２１及びドライブ２２が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
センサ部１７は、ＧＰＳ（Ｇｌｏｂａｌ  Ｐｏｓｉｔｉｏｎｉｎｇ  Ｓｙｓｔｅｍ）受信モジュール、６軸加速度センサ、ジャイロセンサ、気圧センサ等から構成され、各種のセンシングを行って、位置情報、装置の姿勢情報、装置周囲の環境情報等のセンサ情報を取得する。
【００１９】
入力部１８は、各種ボタン等で構成され、ユーザの指示操作に応じて各種情報を入力する。
【００２０】
出力部１９は、ディスプレイやスピーカ等で構成され、画像や音声を出力する。
【００２１】
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２２】
通信部２１は、インターネットを含むネットワークを介して他の装置（図示せず）との間で行う通信を制御する。また、通信部２１は、Ｗｉ−Ｆｉ、ＺｉｇＢｅｅ、ＢＬＥ（Ｂｌｕｅｔｏｏｔｈ（登録商標）  Ｌｏｗ  Ｅｎｅｒｇｙ）等の近距離無線通信規格で通信を可能に構成される。
【００２３】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２４】
このように構成される地図表示装置１は、地図情報上に現在地を表示することができる機能を有する。当該機能に加えて、地図表示装置１は、予めコース（経路）と日程等の行程計画（例えば、登山計画）を設定することができ、設定した行程計画に基づいて、行程を消化するために必要とされる装備品や食料等の持ち物（経路を進む際に必要があるとみなされた持ち物）をリスト形式で表示してユーザに提示することができる機能を有する。
【００２５】
図２は、このような地図表示装置１の機能的構成のうち、持ち物リスト表示処理を実行するための機能的構成を示す機能ブロック図である。
持ち物リスト表示処理とは、設定した行程計画に基づいて、行程の消化に必要な持ち物を自動的に選択して、リスト化して表示する一連の処理をいう。
【００２６】
持ち物リスト表示処理を実行する場合には、図２に示すように、ＣＰＵ１１において、行程計画設定部５１と、コース分析部５２と、持ち物読出部５３と、リスト比較部５４と、リスト変更部５５と、数量決定部５６と、出力制御部５７が機能する。
また、記憶部２０の一領域には、マップ情報記憶部７１と、持ち物情報記憶部７２と、イベント項目情報記憶部７３が設定される。
マップ情報記憶部７１には、高度情報と対応付けられた地図情報が記憶される。また、地図情報には、施設やＰＯＩ（Ｐｏｉｎｔ  Ｏｆ  Ｉｎｔｅｒｅｓｔ）等のコースを構成する各種イベント等の情報が対応付けられる。
持ち物情報記憶部７２には、主にコース種別と持ち物が対応付けられた持ち物情報が記憶される。
イベント項目情報記憶部７３には、主にイベント項目と持ち物が対応付けられたイベント項目情報が記憶される。
【００２７】
ここで、持ち物情報及びイベント項目情報について説明する。
図３は、提示される持ち物リストに関する情報を説明するための模式図である。
持ち物情報は、図３（ａ）の例に示すように、持ち物を示す「持ち物名」に対して、「コース種別」と「備考」が対応付けられている。なお、各持ち物（「持ち物名」）には、それぞれを簡易に識別する「番号」が割り当てられる。
設定したコースを分析した結果から「コース種別」が決定されると、「コース種別」に対応する持ち物が決定する。具体的には、分析結果により、「コース種別：１」であった場合に、「番号：Ｂ１，登山靴」〜「番号：Ｂ１３，ごみ袋」の複数の持ち物が決定する。その後、決定した持ち物をリスト化して、持ち物リストが作成されることとなる。
【００２８】
また、本実施形態においては、コース種別によって決定した持ち物に、さらに、コース内のイベントに対応した持ち物を追加するように構成される。コース内のイベントに対応した持ち物を特定するために、イベント項目情報を用いる。
イベント項目情報は、図３（ｂ）の例に示すように、コース内のイベントを示す「イベント項目」と、イベントにおける条件となる「条件１」，「条件２」と、イベントでの条件を満たした場合の持ち物である「持ち物名」と、持ち物の「数量」と、「備考」とが対応付けられている。なお、各イベント（「イベント項目」）には、それぞれを簡易に識別する「番号」が割り当てられる。
【００２９】
設定したコースを分析した結果から、条件に合致するイベントがあった場合には、「イベント項目名」に対応する持ち物が決定する。具体的には、分析結果により、コース内に「急勾配」が５カ所以上ある場合には、条件を満たす「イベント項目：急勾配，条件：５カ所以上」と、「イベント項目：急勾配，条件：１カ所以上」が合致することになり、「持ち物名：ストック，数量：２」と、「持ち物名：軍手，数量：１」が決定する。その後、決定した各持ち物をリスト化して、イベント項目リストが作成されることとなる。
【００３０】
このように作成された持ち物リストとイベント項目リストを比較して、イベント項目リストにあって持ち物リストにない、持ち物リストの不足分の持ち物を持ち物リストに追加して、最終的な持ち物リストを作成する。その結果として、図３（ｃ）の例に示すような持ち物リストが提示されることとなる。
【００３１】
図２に戻り、行程計画設定部５１は、コース（経路）と日程を行程計画として設定する。例えば、登山をする場合において、登山コース（経路）と、登山コース以外の情報である登山をする日時、さらには、コースの各ポイントの通過時間等の行程の計画（登山計画）を設定する。
【００３２】
コース分析部５２は、マップ情報記憶部７１を参照し、行程計画設定部５１によって設定された行程計画のコースを分析する。
詳細には、コース分析部５２は、コース全体を分析して、コース種別を特定可能な分析結果を出力する。例えば、コースの総距離、コースにおける登り下りの最大勾配度、コースの予定所要時間等のコース全体の情報を分析する。
また、コース分析部５２は、コースを構成するコース内のイベントを分析して、コース内のイベントと当該イベントに対応する条件を特定可能な分析結果を出力する。例えば、コース内の施設やコースを構成する各ルート、高度、宿泊の有無等の行程計画のイベントの情報を分析する。
【００３３】
持ち物読出部５３は、コース分析部５２による分析結果に基づいて、持ち物情報記憶部７２と、イベント項目情報記憶部７３から、対応する情報を読み出す。
具体的には、持ち物読出部５３は、コース分析部５２によるコース種別を特定可能な分析結果に基づいて、持ち物情報記憶部７２からコース種別に対応する持ち物（図３（ａ）参照）をリスト化して持ち物リスト（図３（ｃ）参照）として読み出す。
また、持ち物読出部５３は、コース分析部５２によるイベントとイベントに対応する条件を特定可能な分析結果に基づいて、イベント項目情報記憶部７３からイベント項目の条件に合致する持ち物（図３（ｂ）参照）をリスト化してイベント項目リストとして読み出す。
【００３４】
リスト比較部５４は、持ち物読出部５３によって読み出された持ち物リストと、イベント項目リストを比較する。比較の結果、持ち物リストにはなく、イベント項目リストにある持ち物が判明することになる。
【００３５】
リスト変更部５５は、リスト比較部５４による持ち物リストと、イベント項目リストの比較の結果、持ち物リストにはなく、イベント項目リストにある持ち物（不足の持ち物）を持ち物リストに追加する変更を行う。
また、リスト変更部５５は、ユーザの入力部１８を介した持ち物リスト変更操作により、持ち物リストを変更する。
【００３６】
数量決定部５６は、コース分析部５２による分析結果に基づいて、持ち物の数量を決定する。
具体的には、数量決定部５６は、コース分析部５２によるコースの距離と所要時間等のコースの分析結果から、コースでの活動量を算出する。そして、数量決定部５６は、算出されたコースで必要とされる活動量から行程を消化する活動を維持するために必要な食料や水等の消耗品の数量を決定する。例えば、活動量は、身体活動と運動強度（METｓ）から算出することができ、行程を消化する活動を維持するために必要な食料や水等の量は、移動距離や移動時間から決めることができる。
【００３７】
出力制御部５７は、持ち物リストを提示する制御を出力部１９にする。
詳細には、出力制御部５７は、決定した数量を含む持ち物リストを表示するように出力部１９を制御する。その結果、出力部１９には、図３（ｃ）の例に示すような持ち物リストが表示される。
また、出力制御部５７は、現状の持ち物リストでよいか確認したか否かを判定する。
また、出力制御部５７は、最終的に決定した持ち物リストを表示するように出力部１９を制御する。この際、各持ち物が行程のどこでどのように使用されるべきかの情報を合わせて表示するようにしてもよい。
【００３８】
図４は、図２の機能的構成を有する図１の地図表示装置１が実行する持ち物リスト表示処理の流れを説明するフローチャートである。
持ち物リスト表示処理は、ユーザによる入力部１８への持ち物リスト表示処理開始の操作により開始される。
【００３９】
ステップＳ１１において、行程計画設定部５１は、ユーザによる入力部１８を介した行程計画設定操作により、コース、日時等の行程計画を設定する。
【００４０】
ステップＳ１２において、コース分析部５２は、マップ情報記憶部７１から行程計画に対応するコースのマップ情報を読み込む。
【００４１】
ステップＳ１３において、コース分析部５２は、読み込んだ行程計画に対応するコース全体のマップ情報を分析する。その結果、例えば、コースの総距離、コースの登り下りの最大勾配度、コースの所要時間等が分析され、分析結果はコース種別を特定可能なものとなる。
【００４２】
ステップＳ１４において、持ち物読出部５３は、コース分析部５２による分析結果に基づいて、持ち物情報記憶部７２から持ち物を持ち物リストとして読み出す。具体的には、持ち物読出部５３は、コースの総距離、コースの登り下りの最大勾配度、コースの所要時間等からコース種別を特定して、図３（ａ）に示すように特定したコース種別に対応付けられる持ち物を持ち物リストとして読み出す。
【００４３】
ステップＳ１５において、コース分析部５２は、読み込んだ行程計画に対応するコースのマップ情報からコース内のイベントを分析する。その結果、例えば、コース内の施設やコースを構成する各ルート、高度、宿泊の有無等の行程計画のイベントの情報が分析され、コース内のイベントと当該イベントに対応する条件を特定可能なものとなる。
【００４４】
ステップＳ１６において、持ち物読出部５３は、コース分析部５２による分析結果に基づいて、イベント項目情報記憶部７３から対応するコース内のイベントをイベント項目リストとして読み出す。具体的には、持ち物読出部５３は、コース内の施設やコースを構成する各ルート、高度、宿泊の有無等の行程計画のイベントの情報からコース内のイベントと当該イベントに対応する条件を特定して、図３（ｂ）に示すように特定したイベント項目に対応付けられる持ち物をイベント項目リストとして読み出す。
【００４５】
ステップＳ１７において、リスト比較部５４は、読み出した持ち物リストとイベント項目リストとを比較する。
【００４６】
ステップＳ１８において、リスト比較部５４は、比較の結果、イベント項目リストにはあって持ち物リストにはない不足している持ち物があるか否かを判定する。
不足している持ち物がある場合には、ステップＳ１８においてＹＥＳと判定されて、処理はステップＳ１９に進む。
これに対して、不足している持ち物がない場合には、ステップＳ１８においてＮＯと判定されて、処理はステップＳ２０に進む。
【００４７】
ステップＳ１９において、リスト変更部５５は、不足している持ち物を持ち物リストに追加する。
【００４８】
ステップＳ２０において、数量決定部５６は、コースの距離と所要時間等のコースの分析結果から、コースでの活動量を算出する。
【００４９】
ステップＳ２１において、数量決定部５６は、算出されたコースでの活動量から行程を消化する活動を維持するために必要な食料や水等の消耗品の数量を決定する。
【００５０】
ステップＳ２２において、出力制御部５７は、決定した数量を含む持ち物リストを表示するように出力部１９を制御する。
【００５１】
ステップＳ２３において、出力制御部５７は、現状の持ち物リストでよいか確認したか否かを判定する。
現状の持ち物リストでよくない場合には、ステップＳ２３においてＮＯと判定されて、処理はステップＳ１４に戻る。
これに対して、現状の持ち物リストでよい場合には、ステップＳ２３においてＹＥＳと判定されて、処理はステップＳ２４に進む。
【００５２】
ステップＳ２４において、リスト変更部５５は、ユーザの入力部１８を介した持ち物リスト変更操作により、持ち物リストを変更する。その結果、図３（ｃ）に示すような持ち物リストが作成される。
【００５３】
ステップＳ２５において、出力制御部５７は、最終的に決定した持ち物リストを表示するように出力部１９を制御する。この際、各持ち物が行程のどこでどのように使用されるべきかの情報を合わせて表示するようにしてもよい。また、持ち物リストを提示する際に、合わせて持ち物リストの持ち物を収容可能なリックサックやカバン等の収容具の大きさを提示するように構成してもよい。
その後、持ち物リスト表示処理は終了する。
【００５４】
＜変形例＞
また、上述の実施形態では、複数人が同行してパーティとする行程計画の場合には、最終的に作成された持ち物リストに基づいて、各人が使用する持ち物と、パーティ全体で使用する持ち物とをそれぞれ振り分ける。これにより、パーティ全体で使用する持ち物が重複することを避けることができる。
さらに、パーティの構成が登録されている場合には、パーティを構成する個人の特性を考慮して、例えば、重い荷物が持てない／持てるような女性や子供／大人の男性等には軽い／重い荷物の構成となるように持ち物を振り分けたり、持たせると扱い次第では怪我をするような取り扱いを注意しなければならない火気類や刃物等を子供等に持たせないように振り分けたりするように構成することができる。
なお、本例では、複数人のパーティ用の持ち物リストを最終的に決定した持ち物リストから作成するように構成したが、最初から複数人のパーティ前提で、各持ち物リストを作成する様に構成してもよい。
【００５５】
また、上述した実施形態では、コース全体と、コース内のイベントのコースに関する情報に基づいて、持ち物リストを作成するように構成したが、本例のように、コースから分析できない情報に基づいて、持ち物リストを作成するように構成してもよい。
具体的には、荷物の総重量やコース以外の条件（例えば、当日の天候、季節、時間帯、人数、年齢、性別、国籍等）を加味して、持ち物リストを作成するように構成してもよい。
例えば、当日の天候、季節、時間帯の場合には、寒暖、降雨、昼夜、深夜早朝、これらの組み合わせ等で持ち物リストを変えるように構成することもできる。
また、人数の場合には、上述したような単身向けやパーティの別で持ち物リストを変えるように構成することもできる。
また、年齢、性別、国籍の場合には、体力の違い、男女の機能の別、信条や食文化の違いを考慮して持ち物リストを変えるように構成することもできる。なお、上述した例を組み合わせて複合的に持ち物リストを変えるように構成することもできる。
【００５６】
例えば、登山等のコースを消化する場合、必要な装備類の持ち物を事前に準備することは安全に登山等のコースを消化するために重要である。また、登山の地形や外部環境等のコースの状況に合わせて、必要な持ち物を選択すれば、必要最小限で済ますことができる。ただし、必要とされる装備等の持ち物は、登山の書籍等に記載されている一般化されたものであり、登る登山ルート等のコースに応じたものではない。コースに応じて必要とする装備等の持ち物を選択する場合には、コースの詳細な情報と情報を分析する専門知識が必要となり、容易ではなく、結果的に、余分に装備等の持ち物を持っていったり、現地で足りない装備等の持ち物があったりすることなってしまう。
そこで、本実施形態の地図表示装置１においては、コースの地形等の状況に合わせて装備品等の持ち物を自動選択することで、安全を保つために必要な持ち物を確保しながらも、必要最小限の量の持ち物を準備することができる。
【００５７】
以上のように構成される地図表示装置１は、行程計画設定部５１と、持ち物読出部５３と、出力部１９と、を備える。
行程計画設定部５１は、コースを設定する。
持ち物読出部５３は、行程計画設定部５１によって選択されたコースの情報に基づいて、コースを進む際に必要があるとみなされた持ち物を特定する。
出力部１９は、持ち物読出部５３によって特定されたコースを進む際に必要があるとみなされた持ち物を提示する。
これにより、地図表示装置１においては、予定されるコースに応じた持ち物を自動的に提示することができる。
【００５８】
また、行程計画設定部５１は、コース以外の情報（例えば、日時、天気等）を設定する。
持ち物読出部５３は、行程計画設定部５１によって設定されたコース以外の情報に基づいて、コースを進む際に必要があるとみなされた持ち物を特定する。
これにより、地図表示装置１においては、さらにコース以外の情報に基づいた持ち物を自動的に提示することができる。
【００５９】
また、地図表示装置１は、行程計画設定部５１によって選択されたコースの情報を分析するコース分析部５２を備える。
持ち物読出部５３は、コース分析部５２による分析結果に基づいて、コース全体を通じてコースを進む際に必要があるとみなされた持ち物を特定、及び／又は、コース内の部分イベント（イベント）を通じてコースを進む際に必要があるとみなされた持ち物を特定する。
これにより、地図表示装置１においては、予定されるコースに応じて行程であるコース全体やコース内のイベントを通じて、コースを進む際に必要があるとみなされた持ち物を自動的に提示することができる。
【００６０】
また、地図表示装置１は、コース全体を通じてコースを進む際に必要があるとみなされた持ち物と、コース内のイベントを通じてコースを進む際に必要があるとみなされた持ち物を特定する場合に、互いに比較するリスト比較部５４を備える。
持ち物読出部５３は、リスト比較部５４による比較結果によって、コース内のイベントを通じてコースを進む際に必要があるとみなされた持ち物のうち、コース全体を通じてコースを進む際に必要があるとみなされた持ち物に含まれていない不足の持ち物を特定する。
これにより、地図表示装置１においては、コース全体や行程であるコース内のイベントを通じてコースを進む際に必要があるとみなされた持ち物を過不足なく特定することができる。
【００６１】
出力部１９は、持ち物読出部５３によって特定された不足の持ち物と、コース全体の状態を通じてコースを進む際に必要があるとみなされた持ち物を併せた持ち物を、コースを進む際に必要があるとみなされた持ち物として提示する。
これにより、地図表示装置１においては、コース全体や行程であるコース内のイベントを通じてコースを進む際に必要があるとみなされた持ち物を過不足なく自動的に提示することができる。
【００６２】
なお、本発明は、上述の実施形態に限定されるものではなく、本発明の目的を達成できる範囲での変形、改良等は本発明に含まれるものである。
【００６３】
上述の実施形態では、最終的に決定した持ち物リストを表示してユーザに提示するように構成したが、決定した持ち物リストを提示できればよく、例えば、他の装置に決定した持ち物リストを送信して他の装置に持ち物リストを提示するように構成してもよい。
【００６４】
また、上述の実施形態では、センサ部１７からの情報に基づいて、イベントに近づいたときや持ち物の使用場所／時期が到来したら、持ち物の使用を促すように通知、または出力部１９にその旨表示させるように構成してもよい。
【００６５】
また、上述の実施形態では、コースを分析することによって得られる情報に基づいて、例えば、現地に自動販売機やお店があって水や食料が確保可能である等の現地で調達可能な持ち物に代替できる現地調達品のリストを提示するように構成してもよい。
【００６６】
また、上述の実施形態では、持ち物については、同じ機能用途のものでも複数種類あるので、コースに応じて重さが軽い／機能が高いものが選ばれるように構成することができる。例えば、靴の場合、ハイキングコースであるなら本格的な丈夫で重いトレッキングシューズでなく、軽量な運動靴となるようにしたり、雨具の場合、ハイキングコースであるなら両手が空くが手軽に使用できないレインコート／レインウェアではなく、手軽に使用できる折り畳みで傘にしたりする。
【００６７】
また、上述の実施形態では、難易度を設定して、難易度に応じた持ち物リストを提示するように構成してもよい。難易度を高く設定した場合には、現地調達や持ち物を組み合わせて使用したりして、現地の自然の調達品でサバイバルを行うような持ち物リストの構成を提示してもよい。例えば、難易度を高く設定した場合には、現地で飲料水を調達させるように、水を濾過する濾過器や煮沸消毒するように火をおこす道具等を持ち物リストに飲料水の代わりに追加しておくように構成してもよい。
【００６８】
また、上述の実施形態では、計画が実行された後に、持ち物リストを見直して、必要だった持ち物や不要だった持ち物を追記して、次回の利用の際に役立てるために情報の更新を行うようにしてもよい。また、方々や過去に作成された持ち物リストを学習して、作成の精度を高めるように構成してもよい。このように構成することにより、次回以降の荷物の不足や無駄をなくすことができる。
【００６９】
また、上述の実施形態では、コース種別に対応した持ち物リストを提示するように構成したが、コースと一対一対応した持ち物リストを提示するように構成してもよい。この際、既に持ち物が決まっているコースに似たコースが選択された場合に、応用的に似たコースに当該持ち物リストを提示するように構成してもよい。また、選択されたコースの特性に関係なく、基本の持ち物リストを提示するように構成し、その後、コースの特性に応じた持ち物を追加するように構成してもよい。
【００７０】
また、上述の実施形態では、スマートフォンである地図表示装置１単体で構成したが、持ち物リストを作成する装置（さらには情報を収集する地図情報を記憶している機能やセンサ機能だけ別の装置でもよい。）と、持ち物リストの表示や通知を行う装置とを分けて構成してもよい。この場合、表示や通知を行う装置を腕時計型のリスト端末として構成することができる。
【００７１】
また、上述の実施形態では、本発明が適用される地図表示装置１は、スマートフォンを例として説明したが、特にこれに限定されない。
例えば、本発明は、持ち物リスト表示処理機能を有する電子機器一般に適用することができる。具体的には、例えば、本発明は、ノート型のパーソナルコンピュータ、プリンタ、テレビジョン受像機、ビデオカメラ、デジタルカメラ、携帯型ナビゲーション装置、携帯電話機、スマートフォン、ポータブルゲーム機等に適用可能である。
【００７２】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が地図表示装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００７３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７４】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２０に含まれるハードディスク等で構成される。
【００７５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００７６】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７７】
以下に、本願の出願当初の特許請求の範囲に記載された発明を付記する。
［付記１］
経路を設定する経路設定手段と、
前記経路設定手段によって設定された前記経路の情報に基づいて、前記経路を進む際に必要があるとみなされた持ち物を特定する特定手段と、
前記特定手段によって特定された前記経路を進む際に必要があるとみなされた持ち物を提示する提示手段と、
を備えることを特徴とする提示装置。
［付記２］
前記経路以外の情報を設定する情報設定手段を備え、
前記特定手段は、前記情報設定手段によって設定された前記経路以外の情報に基づいて、前記経路を進む際に必要があるとみなされた持ち物を特定する、
ことを特徴とする付記１に記載の提示装置。
［付記３］
前記経路設定手段によって設定された前記経路の情報を分析する分析手段を備え、
前記特定手段は、前記分析手段による分析結果に基づいて、前記経路全体の状態を通じて前記経路を進む際に必要があるとみなされた持ち物、及び／又は、前記経路内の部分イベントを通じて前記経路を進む際に必要があるとみなされた持ち物を特定する、
ことを特徴とする付記１又は２に記載の提示装置。
［付記４］
前記特定手段によって特定された前記経路全体の状態を通じて前記経路を進む際に必要があるとみなされた持ち物と、前記経路内の部分イベントを通じて前記経路を進む際に必要があるとみなされた持ち物を互いに比較する比較手段を備え、
前記特定手段は、前記比較手段による比較結果によって、前記経路内の部分イベントを通じて前記経路を進む際に必要があるとみなされた持ち物のうち、前記経路全体の状態を通じて前記経路を進む際に必要があるとみなされた持ち物に含まれていない不足の持ち物を特定する、
ことを特徴とする付記３に記載の提示装置。
［付記５］
前記提示手段は、前記特定手段によって特定された前記不足の持ち物と、前記経路全体の状態を通じて前記経路を進む際に必要があるとみなされた持ち物を併せた持ち物を、前記経路を進む際に必要があるとみなされた持ち物として提示する、
ことを特徴とする付記４に記載の提示装置。
［付記６］
提示装置で実行される提示方法であって、
経路を設定する経路設定ステップと、
前記経路設定ステップによって設定された前記経路の情報に基づいて、前記経路を進む際に必要があるとみなされた持ち物を特定する特定ステップと、
前記特定ステップによって特定された前記経路を進む際に必要があるとみなされた持ち物を提示する提示ステップと、
を含むことを特徴とする提示方法。
［付記７］
提示装置を制御するコンピュータを、
経路を設定する経路設定手段、
前記経路設定手段によって設定された前記経路の情報に基づいて、前記経路を進む際に必要があるとみなされた持ち物を特定する特定手段、
前記特定手段によって特定された前記経路を進む際に必要があるとみなされた持ち物を提示する提示手段、
として機能させることを特徴とするプログラム。
【符号の説明】
【００７８】
１・・・地図表示装置，１１・・・ＣＰＵ，１２・・・ＲＯＭ，１３・・・ＲＡＭ，１４・・・バス，１５・・・入出力インターフェース，１６・・・撮像部，１７・・・センサ部，１８・・・入力部，１９・・・出力部，２０・・・記憶部，２１・・・通信部，２２・・・ドライブ，３１・・・リムーバブルメディア，５１・・・行程計画設定部，５２・・・コース分析部，５３・・・持ち物読出部，５４・・・リスト比較部，５５・・・リスト変更部，５６・・・数量決定部，５７・・・出力制御部，７１・・・マップ情報記憶部，７２・・・持ち物情報記憶部，７３・・・イベント項目情報記憶部
【図１】
2017009491.tif 000003
【図２】
2017009491.tif 000004
【図３】
2017009491.tif 000005
【図４】
2017009491.tif 000006